(57)【要約】【課題】  リモートループバックテストの操作性を向上させるリモートループバック制御方法およびシステムを提供することにある。【解決手段】  マスタ側装置１とスレーブ側装置２とが回線３により接続され、マスタ側装置がスレーブ側装置に対してリモートループバックテストを実行する際に、マスタ側装置１のメモリ１０５にリモートループバックテスト設定値を格納しておき、回線障害が発生するとリモートループバックテストを解除し、回線障害が復旧するとリモートループバックテスト設定値を参照して自動的にリモートループバックテストを再実行する。【選択図】      図１
2005252906.tif 000002
【特許請求の範囲】
【請求項１】
第１装置と第２装置とが回線接続され、前記第１装置が前記第２装置に対してリモートループバックテストを実行するリモートループバック制御システムにおいて、
前記第１装置は、
リモートループバックテスト設定値を格納する格納手段と、
前記回線の障害発生および復旧を検出する第１回線障害検出手段と、
前記回線障害が発生するとリモートループバックテストを解除し、前記回線障害が復旧すると前記格納されたリモートループバックテスト設定値を参照して自動的にリモートループバックテストを再実行する第１制御手段と、
を有することを特徴とするリモートループバック制御システム。
【請求項２】
前記第２装置は、
前記回線の障害発生を検出する第２回線障害検出手段と、
前記回線障害が発生すると自動的にリモートループバックを解除する第２制御手段と、
を有することを特徴とする請求項１に記載のリモートループバック制御システム。
【請求項３】
前記第１装置は、さらに、前記リモートループバックテストが開始されてから所定時間内に前記第２装置からのループバック応答を受信したか否かを判定するタイマ手段を有し、
前記第１制御手段は、前記タイマ手段がタイムアウトすると、リモートループバックを解除することを特徴とする請求項１に記載のリモートループバック制御システム。
【請求項４】
第１装置と第２装置とが回線接続され、前記第１装置が前記第２装置に対してリモートループバックテストを実行するリモートループバック制御方法において、
前記第１装置にリモートループバックテスト設定値を格納し、
前記第１および第２装置において回線障害の発生を監視し、
前記回線障害が発生するとリモートループバックテストを解除し、
前記回線障害が復旧すると、前記第１装置は前記格納されたリモートループバックテスト設定値を参照して自動的にリモートループバックテストを再実行する、
ことを特徴とするリモートループバック制御方法。
【請求項５】
回線接続されループバック機能を有するスレーブ装置に対してリモートループバックテストを実行するマスタ装置において、
リモートループバックテスト設定値を格納する格納手段と、
前記回線の障害発生および復旧を検出する回線障害検出手段と、
前記回線障害が発生するとリモートループバックテストを解除し、前記回線障害が復旧すると前記格納されたリモートループバックテスト設定値を参照して自動的にリモートループバックテストを再実行する制御手段と、
を有することを特徴とするマスタ装置。
【発明の詳細な説明】
【技術分野】
【０００１】
本発明は回線により相互接続された装置間の通信制御に係り、特にリモートループバックテスト中に回線障害が発生した場合のリモートループバック制御方法および制御システムに関する。
【背景技術】
【０００２】
通信装置にはＩＴＵ−Ｔ勧告Ｖ５４に準拠したループバックテスト機能が設けられているものがあり、このような通信装置が回線を通して接続されている場合には、相手側通信装置に対してループバックテストを実行することができる。しかしながら、リモートループバックテスト中に回線障害が発生すると、テストを正常に実行することができなくなるために、何らかの対策が必要である。
【０００３】
その対策の１つが特開２００３−２４９９９２号公報（特許文献１）に開示されている。特許文献１に開示された方法は、ループバックテスト中に回線障害の発生を検出すると、リモートループ状態から通常状態に自動的に復帰する。すなわち、制御側の通信装置が送信したリモートループ解除コマンドを検出しなくとも、被制御側の通信装置が自動的に通常状態に復帰するので、保守性が向上するというものである。
【０００４】
【特許文献１】特開２００３−２４９９９２号公報（明細書段落００３３〜００３５参照）
【発明の開示】
【発明が解決しようとする課題】
【０００５】
しかしながら、上記従来の方法では、回線障害から復旧した後、再度テストを実行する必要があるために、操作が煩雑になり、高い操作性を得ることができなかった。
【０００６】
本発明の目的は、リモートループバックテストの操作性を向上させるリモートループバック制御方法およびシステムを提供することにある。
【課題を解決するための手段】
【０００７】
本発明によるリモートループバック制御システムは、第１装置（マスタ側装置）と第２装置（スレーブ側装置）とが回線接続され、前記第１装置が前記第２装置に対してリモートループバックテストを実行するリモートループバック制御システムであって、前記第１装置は、リモートループバックテスト設定値を格納する格納手段（テスト設定値メモリ）と、前記回線の障害発生および復旧を検出する第１回線障害検出手段（ＡＬＭ検出部）と、前記回線障害が発生するとリモートループバックテストを解除し、前記回線障害が復旧すると前記格納されたリモートループバックテスト設定値を参照して自動的にリモートループバックテストを再実行する第１制御手段（制御部）と、を有することを特徴とする。
【０００８】
前記第２装置は、前記回線の障害発生を検出する第２回線障害検出手段と、前記回線障害が発生すると自動的にリモートループバックを解除する第２制御手段と、を有することが望ましい。
【０００９】
前記第１装置は、さらに、前記リモートループバックテストが開始されてから所定時間内に前記第２装置からのループバック応答を受信したか否かを判定するタイマ手段（保護タイマ）を有し、前記第１制御手段は、前記タイマ手段がタイムアウトすると、リモートループバックを解除することを特徴とする。
【００１０】
図１を参照してより具体的に説明すると、本発明によるリモートループバック制御方式ではリモートループバックテスト設定を保持する構成を有し、マスタ側装置１にテスト実行スイッチをONしてからOFFするまでテスト設定を保持するテスト設定値メモリ１０５が設けられている。また、ＡＬＭ検出部１０６により回線アラームを検出すると、リモートループバックテストを解除し、回線アラームからの復旧を検出すると、リモートループバックテストを再度実行するように動作制御を行う制御部１０４を有する。具体的には、回線アラームを検出することにより、リモートループバックテストを解除するコードを送信し、回線アラームから復旧した後、再度リモートループバックテストを実行するコードを送信する。
【００１１】
その他、スレーブ側装置２では、リモートループバックテスト解除コードを検出する以外にも、回線アラーム検出によりループを解除する手段を有する。具体的には、ループ検出回路リセットパルスにより、リモートループバックコード受信（検出）回路を初期化し、リモートループバックテストを解除する制御信号を生成する。
【発明の効果】
【００１２】
本発明によれば、リモートループバックテスト実行中、回線アラームが発生すると、マスタ側からリモートループバックテスト解除コードを送信する制御を行い、リモートループバック形成を解除する。または、回線アラーム検出により、スレーブ側がリモートループバックコード検出回路を初期化し、リモートループバック形成を解除する。このため、リモートループバックテスト実行中に回線アラームが発生しても、リモートループバック形成を解除することができる。
【００１３】
回線アラームがなくなったことを検出（回線アラームからの復旧）すると、テスト実行スイッチをONしてからOFFするまでテスト設定を保持している構成を有しているため、再度テストスイッチをOFFしてからONすることなく、リモートループバックテストを再実行できる。これにより、リモートループバックテストの操作性を向上させるリモートループバック制御方法およびシステムを提供することができる。
【発明を実施するための最良の形態】
【００１４】
図１は、本発明の一実施形態によるリモートループバック制御方法を適用したマスタ／スレーブ通信システムの概略的構成図である。図１において、リモートループバックテストを実行するマスタ側通信装置１と、リモートループバックテストをかけられるスレーブ側通信装置２とが回線３により接続されているものとする。
【００１５】
マスタ側通信装置１は送信部１０１および受信部１０２を有し、回線３を通してスレーブ側通信装置２と通信可能である。マスタ側通信装置１にはＰＮデータ生成部１０３が設けられている。ＰＮデータ生成部１０３は、制御部１０４のＰＮテスト照合開始命令に従って、リモートループバックテスト用の照合ランダムデータを生成し、送信部１０１へ出力する。通常の送信データはそのまま送信部１０１へ転送され送信部１０１から送信される。
【００１６】
ループバックテストの開始／終了はテスト実行スイッチのＯＮ／ＯＦＦにより設定され、ループバックテストを示す設定値がテスト開始からテスト終了まで（テスト実行スイッチのONからOFFまで）テスト設定値メモリ１０５に保持される。したがって、ループバックテストであることはテスト設定値メモリ１０５を参照することで知ることができる。
【００１７】
ＡＬＭ検出部１０６は回線障害の有無をモニタし、回線障害が発生するとアラーム検出情報を制御部１０４へ出力する。制御部１０４は、テスト実行スイッチのＯＮ／ＯＦＦ、テスト設定値メモリ１０５に保持されているテスト実行設定値、およびＡＬＭ検出部１０６からのアラーム検出情報をもとに、リモートループバックテスト制御信号ＣLTを生成し、送信部１０１へ出力する。送信部１０１は、リモートループバックテスト制御信号ＣLTを入力すると、リモートループバックテスト要求／解除コードを送信する。
【００１８】
受信部１０２は回線３からデータを受信し、ＡＣＫコードの検出を行い、制御部１０４へ通知する。制御部１０４は、受信部１０２からＡＣＫ検出信号を受けると、テスト照合開始信号を生成し、ＰＮデータ生成部１０３およびＰＮデータ照合部１０７へ通知する。ＰＮデータ生成部１０３は、テスト照合開始を認識すると、上述したように、テスト照合用ＰＮデータを生成して送信部１０１へ送信する。ＰＮ照合部１０６は、テスト照合開始を認識すると、受信データを受信部１０２から受け取り次第、テスト照合を開始する。
【００１９】
スレーブ側通信装置２は送信部２０１および受信部２０２を有し、回線３を通してマスタ側通信装置２と通信可能である。受信部２０２は、リモートループバックテスト要求／解除用コードを検出すると、状態を制御部２０４へ通知する。また、制御部２０４からのループ検出回路リセットパルスによりＡＣＫコード以外のリモートループバックコードの検出回路が初期化される。
【００２０】
制御部２０４は、受信部２０２からのリモートループバックテスト要求／解除用コード検出信号とＡＬＭ検出部２０３からのアラーム検出信号を入力すると、ループ実行部２０５へループセレクタ制御信号を出力し、またＡＣＫ送信要求信号も生成して送信部２０１へ出力する。さらに、制御部２０４は、ループ検出回路リセットパルスを生成し、受信２０１と送信部２０２へ出力する。ＡＬＭ検出部２０３はマスタ側のＡＬＭ検出部１０６と同様に、回線アラームを検出し、制御部２０４へ通知する。
【００２１】
送信部２０１は制御部２０４からＡＣＫ送信要求信号を受けると、ＡＣＫコードを回線側へ送信する。また、ループ検出回路リセットパルスを受けると、ＡＣＫ送信回路を初期化する。ループ実行部２０５は、制御部２０４からのループセレクタ制御信号によりループ制御を行う。
【００２２】
図２は、図１に示す送信部１０１／２０１の構成を概略的に示すブロック図である。送信部１０１と送信部２０１とは基本的に同一構成であるから、以下、マスタ側装置１の送信部１０１を例にとり説明する。
【００２３】
図２において、送信部１０１は、エッジ検出回路１６、ループコード生成部１７、カウンタ１８、セレクタ１９を含んで構成される。エッジ検出回路１６は、リモートループバックテスト制御信号の両エッジ検出を行い、リモートループバックテスト要求／解除コード送信のトリガとしてループコード生成部１７へ通知する。ループコード生成部１７は、エッジ検出回路１６からのエッジ検出信号をもとに、リモートループ要求／解除コードを生成する。カウンタ１８はエッジ検出回路１６からのエッジ検出信号を基準として、セレクタ１９の制御信号を生成する。 セレクタ１９は、カウンタ１８からのリモートループバックコードを選択する信号をもとに送信データを選択する。
【００２４】
スレーブ側装置２の送信部２０１の場合には、ＡＣＫ送信要求信号のエッジ検出を行い、ＡＣＫデータ送信のトリガとしてループコード生成部１７へ通知し、ＡＣＫコードを生成する。
【００２５】
図３は、図１に示す制御部１０４／２０４の構成を概略的に示すブロック図である。制御部１０４と制御部２０４とは基本的に同一構成のため、以下はマスタ側装置１の制御部１０４を例にとり説明する。
【００２６】
図３において、制御部１０４はテスト判断部２０およびテスト制御部２１を含んで構成される。テスト判断部２０は、テスト実行スイッチとテスト設定値とからテスト内容を判断する。テスト制御部２１は、テスト判断部２０で判断されたテスト内容（今回の場合はリモートループバックテスト制御信号）を回線アラームの条件を考慮して制御する。
【００２７】
スレーブ側装置２の制御部２０４の場合には、回線アラーム入力信号から受信回路リセットパルス信号を生成し、ＡＣＫ送信要求信号も生成する。
【００２８】
図４は、図１に示す受信部１０２／２０２の構成を概略的に示すブロック図である。受信部１０２と受信部２０２とは基本的に同一構成のため、以下はマスタ側装置１の受信部１０２を例にとって説明する。
【００２９】
図４において、受信部１０２はループコード検出部２２およびテスト状態判定部２３を含んで構成される。ループコード検出部２２は受信データからリモートループバックテスト要求／解除を示すリモートループバックコードを検出する。テスト状態判定部２３は、ループコード検出部２２からの検出信号からテスト状態を判定する。なお、スレーブ側装置２の受信部２０２の場合には、ループコード検出部１８でＡＣＫコードを検出する。
【００３０】
（リモートループバック制御）
次に、リモートループバックテスト中に、回線障害が発生した場合のリモートループバック制御動作について詳細に説明する。
【００３１】
図５は、本実施形態におけるリモートループバック制御手順を示すシーケンス図である。まず、マスタ側装置１のテスト実行スイッチがＯＮされてリモートループバックテストが実行されると、テスト設定値メモリ１０５には、テスト実行スイッチが解除（ＯＦＦ）されるまでの間、テスト設定値が保持される。
【００３２】
図５において、制御部１０４は、テスト設定値メモリ１０５を参照してリモートループバックテストであることを認識すると、送信部１０１に対しリモートループバックテスト実行要求命令を出力する。送信部１０１は、リモートループバックテスト実行要求を受けると、リモートループバックテスト要求コードを生成し、スレーブ側装置２へ送信する（ステップＳ１）。
【００３３】
スレーブ側装置２は、受信部２０２がリモートループバックテスト要求コードを検出すると、その旨を制御部２０４へ通知する。制御部２０４は、リモートループバックテスト要求コードが検出されると、ＡＣＫ送信要求を送信部２０１へ出力して送信部２０１からＡＣＫコードをマスタ側装置１へ送信させ、ＡＣＫコードを全て送信し終わると、ループ実行部２０５へループセレクタ制御信号を送信し、それによってループ実行部２０５はリモートループバックを形成する（ステップＳ２）。
【００３４】
マスタ側装置１の受信部１０２がＡＣＫコードを受信すると、制御部１０４へＡＣＫ検出を通知する。それによって制御部１０４はリモートループバックが正常に実行されたことを認識し、リモートループバックテスト照合開始信号をＰＮ生成部１０２とＰＮ照合部１０６へ出力する。ＰＮ生成部１０２は、制御部１０４からリモートループバックテスト照合開始信号を受けると、リモートループバックテスト用ランダムデータ（ここでは、ＰＮデータ）を送信する（ステップＳ３）。
【００３５】
ＰＮデータを受信すると、スレーブ側装置２ではリモートループバックが形成されているため、受信したＰＮデータは折り返され、マスタ側装置１へ戻される。マスタ側装置１はリモートループバックテスト照合用データを受信すると、ＰＮデータ照合部１０７がテスト照合を行う（ステップＳ４）。
【００３６】
通常、テスト照合が終了すると、テスト解除を実行し（ステップＳ１０）、テストを終了するのが一般的なリモートループバックテストの流れであるが、ここで回線アラームが発生した場合の制御が本発明の特徴である。
【００３７】
回線アラームが発生すると、マスタ側装置１のＡＬＭ検出部１０６は制御部１０４へアラーム検出を通知する。制御部１０４は、アラーム検出を認識すると、リモートループバックテスト実行信号を解除し、リモートループバックテスト解除要求を送信部１０１へ出力する。送信部１０１は、リモートループバックテスト解除要求を受けると、リモートループバックテスト解除コードを生成し、スレーブ側装置２へ送信する（ステップＳ５．１）。
【００３８】
スレーブ側装置２は、リモートループバックテスト解除要求コードを検出するとリモートループバックを解除するが、自局で回線アラームを検出してもリモートループバックを解除する（ステップＳ５．２）。すなわち、スレーブ側装置２のＡＬＭ検出部２０３が回線アラームを検出すると制御部２０４へ通知する。制御部２０４は、回線アラーム検出信号からリモートループバック検出回路リセットパルスを生成し、受信部２０２と送信部２０１へ出力する。リモートループバック検出回路リセットパルスを受けると、受信部２０２はＡＣＫ検出回路以外のリモートループバックテスト検出回路を初期化し、送信部２０１はＡＣＫ送出回路を初期化して、リモートループバックテスト前の元の状態に戻す。また、制御部２０４は、リモートループバックテスト解除信号を生成し、ループ実行部２０５へ出力する。ループ実行部２０５は、そのリモートループバックテスト解除信号を受けて、リモートループバックを解除する。すなわちリモートループバックテスト解除コードの検出および回線アラームの検出のうちどちらか早い方のタイミングで、リモートループバックを解除する（ステップＳ５．１および／またはＳ５．２）。
【００３９】
こうしてループバックが解除された後、回線障害から復旧すると、マスタ側装置１のＡＬＭ検出部１０６は回線アラームからの復旧を検出し、制御部１０４へアラームからの復旧を通知する。制御部１０４は、回線アラームからの復旧を認識すると、アラーム前のループバックテスト設定値がテスト設定値メモリ１０５に保持されているので、上述したように送信部１０１に対しリモートループバックテスト実行要求信号を再び送信する（ステップＳ６）。
【００４０】
回線障害の復旧時、スレーブ側装置２のリモートループバック検出回路は初期化されているため、再度リモートループバックテストが実行されても問題なくテストを実行できる。これ以降の動作は既に述べたものと同様の動作であり、図５のステップＳ６〜Ｓ９は、ステップＳ１〜Ｓ４と同様である。
【００４１】
マスタ側装置１からリモートループバックテスト解除が実行されると、テスト設定値メモリ１０５はテスト設定値を保持せず、制御部１０４はリモートループバックテスト解除要求を送信部１０１へ通知する。送信部１０１はリモートループバックテスト解除要求を受けたら、リモートループバックテスト解除コードを生成し、スレーブ側装置２に送信する（ステップＳ１０）。スレーブ側装置２は、リモートループバックテスト解除コードを検出すると、リモートループバックを解除する。
【００４２】
図６は、本実施形態における回線アラーム発生および復旧時のリモートループバック動作を示すタイムチャートである。なお、通常時のリモートループバック動作は図７に示す。
【００４３】
まず時刻Ｔ１において、リモートループバックテストを実行すると、マスタ側装置１内の制御部１０４はリモートループバックテスト制御信号V54_ONをアサートする。送信部１０１はV54_ON信号の立ち上がりエッジを検出し、この信号をもとにリモートループバックテスト要求コードを生成してスレーブ側装置２へ送信する。
【００４４】
時刻Ｔ２において、スレーブ側装置２の受信部２０２がリモートループバックテスト要求コードを検出すると制御部２０４へ通知する。この通知を受けて、制御部２０４は送信部２０１へＡＣＫコード送信要求を行い、送信部２０１はＡＣＫコードをマスタ側装置１へ送信する。
【００４５】
時刻Ｔ３において、マスタ側装置１の受信部１０２がＡＣＫコードを検出すると、制御部１０４へ通知する。制御部１０４はＡＣＫコード検出を認識すると、テスト照合開始信号をＰＮデータ生成部１０３およびＰＮ照合部１０へ出力し、リモートループバックテスト照合用のデータを送信するともに、そのデータがループバックしてくるのを待つ。
【００４６】
時刻Ｔ４において、スレーブ側装置２のＡＣＫコード送信が完了すると、制御部２０４はループ実行部２０５へループセレクタ制御信号を生成し、リモートループバックが形成され、マスタ側装置１からのリモートループバックテスト照合用のデータが折り返され、マスタ側装置１へ返送される。
【００４７】
時刻Ｔ５において、回線アラームが発生したとする。この場合、マスタ側装置１のＡＬＭ検出部１０６はアラーム情報を検出し、制御部１０４へ通知する。制御部１０４はＡＬＭ検出部１０６からのアラーム情報を認識し、リモートループバックテスト制御信号（V54_ON信号）をデアサートし、リモートループバックテスト解除要求信号を送信部１０１へ通知する。送信部１０１はこのV54_ON信号の立ち下がりエッジ検出を行い、リモートループバックテスト解除コードを生成してスレーブ側装置２へ送信する。ただし、テスト設定値メモリ１０５は、テスト実行スイッチを解除するまで、テスト設定を保持する。
【００４８】
時刻Ｔ６において、スレーブ側装置２の受信部２０２は、リモートループバックテスト解除コードを検出し、制御部２０４へ通知する。制御部２０４は、リモートループバックテスト解除要求を認識すると、ループ実行部２０５へリモートループバックテスト解除要求を行い、リモートループバックを解除する。
【００４９】
あるいは時刻Ｔ６以前にＡＬＭ検出部２０３が回線アラームを検出した場合には、制御部２０４へ通知し、制御部２０４は受信部２０２と送信部２０１へのリモートループ検出回路リセットパルスとループセレクタ制御信号を生成し、リモートループバックの解除を行う。つまり、スレーブ側装置２は、時刻Ｔ６においてリモートループバックテスト解除コードを検出するか、あるいは、時刻Ｔ６以前に回線アラームを検出するかによって、リモートループバックを解除するタイミングが変わってくる。
【００５０】
時刻Ｔ７において、回線アラームから復旧した場合、マスタ側装置１のＡＬＭ検出部１０６は回線障害からの復旧を検出し、制御部１０４へ通知する。制御部１０４はアラームからの復旧を認識すると、リモートループバックテスト制御信号V54_ONを再度アサートし、送信部１０１へ通知する。送信部１０１はV54_ON信号の立ち上がりエッジを検出し、リモートループバックテスト要求コードを生成してスレーブ側装置２へ送信する。
【００５１】
時刻Ｔ８、Ｔ９においては、以前説明したＴ２、Ｔ３と同様の動作であるので、説明は省略する。
【００５２】
時刻Ｔ１０において、マスタ側装置１からテストが解除されると、テスト設定値メモリ１０５はここで初めてテスト設定保持値を解除できる。また制御部１０４は、リモートループバックテスト解除要求を受けると、リモートループバックテスト制御信号をデアサートし、送信部１０１へ通知する。送信部１０１は、リモートループバックテスト解除要求を受け、リモートループ解除コードを生成し、スレーブ側装置２へ送信する。
【００５３】
時刻Ｔ１１においては、以前説明したＴ６と同様の動作であるので、説明は省略する。
【００５４】
このように、本実施形態では、回線アラームによってリモートループバックテスト制御信号を制御しているので、リモートループバックテスト実行中に回線アラームが発生しても、テスト設定の解除及び設定（テストスイッチのOFF及びON）を行うことなく回線アラームから復旧した後に自動で再テストが実行できる。
【００５５】
また、スレーブ側装置２でも、回線アラーム検出、受信回路の初期化およびループ解除を行う機能が設けられているので、回線アラーム発生時、マスタ側からのループ要求解除コードでも、スレーブ側での回線アラーム検出でもリモートループバックを解除できる。これはリモートループバックをマスタ側およびスレーブ側のどちらからでも早い順に解除できるので、フェールセーフ機能となり得る。
【００５６】
（他の実施形態）
図８は、本発明の他の実施形態によるリモートループバック制御方法を適用したマスタ／スレーブ通信システムの概略的構成図である。本実施形態は、図１に示す実施形態と基本的構成は同じであるから、同じ機能ブロックには同一参照番号を付して説明は省略する。
【００５７】
図８に示す実施形態では、マスタ側装置１内に保護タイマ１０８を設けられている。制御部１０４はリモートループバックテスト実行を開始すると、保護タイマ１０８をスタートさせ、ＡＣＫコード検出までの経過時間を計測させる。もし何らかの原因で一定時間以上経過してもＡＣＫコードを検出しないと、保護タイマ１０８はタイムアウトし、制御部１０４へ通知する。
【００５８】
タイムアウトを認識すると、制御部１０４はリモートループバックテスト解除用信号を送信部１０１へ出力し、送信部１０１は、リモートループバックテスト解除要求を認識すると、リモートループバックテスト解除コードをスレーブ側装置２へ送信する。その際、スレーブ側装置２に対してアラーム情報を併せて送信してもよい。スレーブ側装置２では、上述したように、リモートループバックテスト解除用コードを検出、または回線アラームを検出することにより、リモートループバック形成を解除する。
【００５９】
このように、保護タイマ１０８を設けることにより、自動でリモートループバック形成を解除できリモートループバック状態のままになってしまうことを防止できる。
【図面の簡単な説明】
【００６０】
【図１】本発明の一実施形態によるリモートループバック制御方法を適用したマスタ／スレーブ通信システムの概略的構成図である。
【図２】図１に示す送信部１０１／２０１の構成を概略的に示すブロック図である。
【図３】図１に示す制御部１０４／２０４の構成を概略的に示すブロック図である。
【図４】図１に示す受信部１０２／２０２の構成を概略的に示すブロック図である。
【図５】本実施形態におけるリモートループバック制御手順を示すシーケンス図である。
【図６】本実施形態における回線アラーム発生および復旧時のリモートループバック動作を示すタイムチャートである。
【図７】本実施形態における通常時のリモートループバック動作を示すタイムチャートである。
【図８】本発明の他の実施形態によるリモートループバック制御方法を適用したマスタ／スレーブ通信システムの概略的構成図である。
【符号の説明】
【００６１】
１  マスタ側通信装置
２  スレーブ側通信装置
３  回線
１０１  送信部
１０２  受信部
１０３  ＰＮデータ生成部
１０４  制御部
１０５  テスト設定値メモリ
１０６  ＡＬＭ検出部
１０７  ＰＮデータ照合部
１０８  保護タイマ
２０１  送信部
２０２  受信部
２０３  ＡＬＭ検出部
２０４  制御部
２０５  ループ実行部
【図１】
2005252906.tif 000003
【図２】
2005252906.tif 000004
【図３】
2005252906.tif 000005
【図４】
2005252906.tif 000006
【図５】
2005252906.tif 000007
【図６】
2005252906.tif 000008
【図７】
2005252906.tif 000009
【図８】
2005252906.tif 000010